【手続補正書】
【提出日】平成18年1月27日(2006.1.27)
【手続補正１】
【補正対象書類名】明細書
【補正対象項目名】００２４
【補正方法】変更
【補正の内容】
【００２４】
この状態で、芯チャック部材３０が軸方向（先筒１０の先端開口孔１１側）へ移動を開始すると爪片３２はテーパー後背面１４ｃによって内側に案内されて爪片３２は内側に撓み、やがて第１摺動溝１２ａの位置に爪片３２が移動すると、爪片３２の後部に設けた突起３３が第１摺動溝１２ａに当接し、棒状化粧材Ａを爪片３２によって４方向より確実に保持する。
【手続補正２】
【補正対象書類名】明細書
【補正対象項目名】００５０
【補正方法】変更
【補正の内容】
【００５０】
本発明は、棒状化粧材の装填に関する発明であり、先筒１０，１１０内には先端開口孔１１、１１１に連続する貫通孔１３，１１３に沿って複数の摺動溝１２，１１２が設けられ、芯チャック部材３０，１３０の棒状化粧材保持部３１，１３１として爪片３２，１３２が前記複数の摺動溝１２，１１２内に位置するとともに、この摺動溝は先筒１０，１１０前部側が第１摺動溝１２ａ、１１２ａとして形成され、後部側に第２摺動溝１２ｂ、１１２ｂが設けられ、芯チャック部材３０，１３０の爪片３２，１３２は第２摺動溝１２ｂ、１１２ｂ内に位置し、棒状化粧材Ａ，Ｂが装填され、その端面が棒状化粧材保持部３１，１３１の底面３１ａ、１３１ａに当接した状態をもって、芯チャック部材３０，１３０の爪片３２，１３２を第１摺動溝１２ａ、１１２ａに移動する手段により、棒状化粧材Ａ，Ｂを爪片３２，１３２で保持摺動するもので、第１摺動溝１２ａ、１１２ａの第１摺動溝後背面１４ａ、１１４ａは、テーパー後背面１４ｃ、１１４ｃを介して第２摺動溝に連絡され、第２摺動溝後背面１４ｂ、１１４ｂが形成される。
【手続補正３】
【補正対象書類名】明細書
【補正対象項目名】００５１
【補正方法】変更
【補正の内容】
【００５１】
第２摺動溝後背面１４ｂ，１１４ｂは、第１摺動溝後背面１４ａ、１１４ａより外径が大径に形成されるため、芯チャック部材３０，１３０の爪片３２，１３２の背面に突設された突起３３，１３３は、第２摺動溝後背面１４ｂ、１１４ｂには当接しない設計となっている。
【手続補正４】
【補正対象書類名】明細書
【補正対象項目名】００５２
【補正方法】変更
【補正の内容】
【００５２】
なお、本実施例においては、爪片３２，１３２の背面に突起３３，１３３を突設するとともに第２摺動溝後背面１４ｂ、１１４ｂに当接しないとしたが、この実施例によって、特別な形状を設けることなく爪片３２，１３２の後部を第２摺動溝後背面１４ｂ、１１４ｂに当接する構成を除外するものではない。
【手続補正５】
【補正対象書類名】明細書
【補正対象項目名】００５３
【補正方法】変更
【補正の内容】
【００５３】
棒状化粧材Ａ，Ｂは、端面が底面３１ａ、１３１ａに当接して仮保持されている状態であり、爪片３２，１３２が第１摺動溝１２ａ、１１２ａに移動することで、爪片３２，１３２の爪片３２，１３２の背面突起３３，１３３は第１摺動溝後背面１４ａ、１１４ａに当接しながら摺動することで、繰出容器を完全な物としている。
【手続補正６】
【補正対象書類名】明細書
【補正対象項目名】００５８
【補正方法】変更
【補正の内容】
【００５８】
図９，図１０，図１１は、本発明の第３の実施の形態を示すもので、第３実施例はカートリッジ式棒状化粧材繰出容器３０１を表す。図９の（Ａ）はカートリッジ３０１Ｃの縦一部断面図を示し、このカートリッジ３０１Ｃを収容するホルダー３０１Ｈを（Ｂ）に示している。図１０は棒状化粧材Ｃを充填されたカートリッジ３０１Ｃをホルダー３０１Ｈに収容した図、つまりカートリッジ式棒状化粧材繰出容器３０１を示す図である。
【手続補正７】
【補正対象書類名】明細書
【補正対象項目名】００６４
【補正方法】変更
【補正の内容】
【００６４】
先筒２１０は、先端開口孔２１１とほぼ同寸法の貫通孔２１３が穿設され、この貫通孔２１３に沿って先端開口孔側に４つの第１摺動溝が形成され、第１摺動溝後背面２１４ａはテーパー後背面２１４ｃで第２摺動溝後背面２１４ｂに連絡される。
【手続補正８】
【補正対象書類名】明細書
【補正対象項目名】００６８
【補正方法】変更
【補正の内容】
【００６８】
図９の（Ａ）の状態では、尾栓２４０のフランジ２４５と基体２２０の後端部２２０ｃとの間はＺ寸法離れているとともに、前端部２４０ａがストッパー部材２５０の後端部２５０ｂに接した状態の尾栓２４０を基体２２０内に押し込むと、基体２２０の尾栓嵌合部に嵌合している尾栓２４０の第１突起２４１は外れ、フランジ２４５によって基体２２０が塞がれるとともに、第２突起２４２が尾栓嵌合部２２７に嵌合する。
【手続補正９】
【補正対象書類名】明細書
【補正対象項目名】００７９
【補正方法】変更
【補正の内容】
【００７９】
１・・・・棒状化粧材繰出容器
Ａ・・・・棒状化粧材
１０・・・先筒
１１・・・先端開口孔
１２・・・摺動溝
１２ａ・・第１摺動溝
１２ｂ・・第２摺動溝
１３・・・貫通孔
１４ａ・・第１摺動溝後背面
１４ｂ・・第２摺動溝後背面
１４ｃ・・テーパー後背面
２０・・・基体
２２・・・ローレット状螺旋
２３・・・段部
２７・・・尾栓嵌合部
２８・・・小径部
２９・・・後端開口孔
３０・・・芯チャック部材
３１・・・棒状化粧材保持部
３１ａ・・底面
３２・・・爪片
３３・・・突起
３４・・・棒軸
３５・・・凸条
３６・・・円筒体
３９・・・係合突起
４０・・・尾栓
４１・・・第１突起
４２・・・第２突起
４３・・・スリット
４４・・・前端部
４５・・・フランジ
１０１・・棒状化粧材繰出容器
Ｂ・・・・棒状化粧材
１１０・・先筒
１１１・・先端開口孔
１１２・・摺動溝
１１２ａ・第１摺動溝
１１２ｂ・第２摺動溝
１１３・・貫通孔
１１４ａ・第１摺動溝後背面
１１４ｂ・第２摺動溝後背面
１１４ｃ・テーパー後背面
１１６・・後端部
１１７ｂ・嵌合凸部
１２０・・基体
１２１ｂ・前部環状凹部
１２１ｂ’後部環状凹部
１２２・・ローレット状螺旋
１２５・・端面
１３０・・芯チャック部材
１３１・・棒状化粧材保持部
１３１ａ・底面
１３２・・爪片
１３３・・突起
１３４・・棒軸
１３５・・凸部
１５０・・螺合部材
１５３・・外周壁
３０１・・カートリッジ式棒状化粧材繰出容器
Ｃ・・・・棒状化粧材
３０１Ｃ・カートリッジ
３０１Ｈ・ホルダー
３・・・・Ｏリング
２１０・・先筒
２１０ａ・摘み部
２１０ｂ・基体嵌入部
２１１・・先端開口孔
２１２ａ・第１摺動溝
２１２ｂ・第２摺動溝
２１３・・貫通孔
２１４ｃ・・テーパー後背面
２１７・・嵌合凹部
２２０・・基体
２２０ａ・前端部
２２０ｂ・Ｏリング溝
２２２・・螺旋
２２７・・尾栓嵌合部
２３０・・芯チャック部材
２３１・・棒状化粧材保持部
２３１ａ・底面
２３２・・爪片
２３４・・棒軸
２３５・・凸条
２３５ａ・凸条前端部
２３８・・後部凹部
２３９・・係合突起
２４０・・尾栓
２４１・・第１突起
２４２・・第２突起
２４５・・フランジ
２５０・・ストッパー部材
２５１・・凸部
２６０・・外筒
２６１・・開口孔
２６２・・嵌合凹部
２６３・・底面
２６６・・内周面
【手続補正１０】
【補正対象書類名】図面
【補正対象項目名】図９
【補正方法】変更
【補正の内容】
【図９】
2004255169.tif 000001
【手続補正１１】
【補正対象書類名】図面
【補正対象項目名】図１１
【補正方法】変更
【補正の内容】
【図１１】
2004255169.tif 000002